(57)【特許請求の範囲】
【請求項１】
外枠と、前記外枠に遊技者側の前面側にて開閉可能となるように取り付けられると共に、複数の部材が取り付けられる前面枠ユニットとを備えた遊技機において、
前記前面枠ユニットは、
略中央部に窓部を有する枠体状に構成された前面枠と、
前記窓部の前側を被覆するように開閉自在に前記前面枠に取り付けられたガラス扉と、
前記前面枠の前面部の下方を覆うように該前面枠に取り付けられた合成樹脂製の下皿ユニットと、
前記ガラス扉と前記下皿ユニットとの間を覆うように開閉自在に前記前面枠に取り付けられた合成樹脂製の上皿ユニットと、
を備え、
前記前面枠は、
前記枠体状の上枠部分を構成する合成樹脂製で略板状の上枠部材と、
前記枠体状の下枠部分を構成する合成樹脂製で略板状の下枠部材と、
前記上枠部材の左端部と前記下枠部材の左端部との裏側に上下端部をビス止めにより取り付けられた金属製で略板状の左縦枠部材と、
前記上枠部材の右端部と前記下枠部材の右端部との裏側に上下端部をビス止めにより取り付けられた金属製で略板状の右縦枠部材と、
を有し、
前記左縦枠部材は、
該左縦枠部材の上端部の裏側に取り付けられて前記外枠の左上角部に固着された上ヒンジ軸支持部材に回動可能に係合すると共に、前記ガラス扉の左上角部に設けられたヒンジピンに回動可能に係合する金属製の上ヒンジ軸受部材と、
該左縦枠部材の下端部の裏側に取り付けられて前記外枠の前記前面枠の左側下端面に対向するように固着された下ヒンジ軸支持部材に回動可能に係合する金属製の下ヒンジ軸受部材と、
前記上皿ユニットの左側端縁部に対向する前面部に取り付けられて前記ガラス扉の左下角部に設けられた凹部に係合して回動可能に支持すると共に、該上皿ユニットの左側上下端部に係合して回動可能に支持する金属製の軸支持部材と、
を有し、
前記右縦枠部材は、裏面側に取り付けられて前記前面枠と前記ガラス扉とを施錠する金属製の施錠装置を有し、
前記下枠部材は、前記下皿ユニットが前面側に取り付けられると共に、該下皿ユニットの上側に合成樹脂製の発射レールユニットが取り付けられ、
前記外枠の前記上ヒンジ軸支持部材及び前記下ヒンジ軸支持部材と前記前面枠ユニットの前記上ヒンジ軸受部材及び前記下ヒンジ軸受部材とのそれぞれの係合を解除して該外枠から該前面枠ユニットを取り外した後、
該前面枠ユニットの該上ヒンジ軸受部材及び前記軸支持部材と前記ガラス扉の前記ヒンジピン及び前記凹部との係合を解除して該前面枠ユニットから該ガラス扉を取り外すと共に、該前面枠ユニットの該軸支持部材と前記上皿ユニットの左側上下端部との係合を解除して該前面枠ユニットから該上皿ユニットを取り外した後、
更に、前記上枠部材及び前記下枠部材の左右端縁部と前記左縦枠部材及び前記右縦枠部材の上下端部とのビス止めを取り外すことによって、金属製の該左縦枠部材は、金属製の前記上ヒンジ軸受部材と前記下ヒンジ軸受部材と前記軸支持部材とが取り付けられた状態で該上枠部材及び下枠部材から取り外されると共に、金属製の該右縦枠部材は、金属製の前記施錠装置が取り付けられた状態で該上枠部材及び下枠部材から取り外され、また、合成樹脂製の該下枠部材は、合成樹脂製の前記下皿ユニットと前記発射レールユニットとが取り付けられた状態で該左縦枠部材及び右縦枠部材から取り外されることを特徴とする遊技機。
【発明の詳細な説明】
【０００１】
【発明の属する技術分野】
本発明は、外枠の遊技者側の前面側にて金属製のヒンジ部材等を介して開閉可能となるように取り付けられると共に、前面部下方に下皿等が取り付けられる前面枠を備えた遊技機に関し、特に、前記前面枠を合成樹脂製や金属製等の複数種類の材質で形成される複数の枠部材から構成すると共に、ヒンジ部材や下皿等を同じ種類の材質で形成される枠部材に取り付けることによって、使用済み遊技機の解体時に部品を材質毎に容易に仕分けることができるため、使用済み遊技機の解体作業の迅速化及び高効率なリサイクル化を図ることができる遊技機に関するものである。
【０００２】
【従来の技術】
近年のパチンコ機等の遊技機においては、従来の合板等よりなる４本の木材を組み合わせて構成される前面枠に替えて、金属製等の種々の前面枠が提案されている。
例えば、特公平６−８３７４５号公報に記載されたパチンコ機用前面枠では、上横材、下横材、左縦材、右縦材を金属製の中空型材により各々構成し、これらの各部材を矩形に接続して窓部を有する単一の枠体を形成すると共に、上記左縦材の窓部一側には所定深さの段部を設け、表側に受皿を、裏側に発射装置を設けた下部ユニットを上記枠体の窓部の下方部を塞ぐようにして取付け、該下部ユニットの上方には、表側に供給皿を有するパネルユニットとガラスを嵌めたガラス枠ユニットとを配置し、且つ上記パネルユニットとガラス枠ユニットの各回動部を上記左縦材の段部に位置させて、窓部の残部を塞ぐように開閉可能に取付けるように構成している。
これにより、枠体を構成する各部材を各々金属製の中空型材で構成することにより、枠体の強度及び剛性が高まる。また、木材に比して十分な硬度と耐火性を有する。更に、中空型材の製造工程で形成できる左縦材の段部にパネルユニットとガラス枠ユニットの回動部を位置させることで、両ユニットの回動部が前面側端面より突出することがない。
【０００３】
【発明が解決しようとする課題】
しかしながら、上述した特公平６−８３７４５号公報に記載されたパチンコ機用前面枠においては、枠体を構成するアルミニウム等の金属を押型成型した型材からなる断面が縦長な長方形の中空枠状である各部材を第１、第２接続部材１８、２５により各部材の端縁部を結合し、各枠体の上下両端部に形成される開口部を各々蓋部材２８により閉塞する必要があるため、枠体を構成する部材数が多く、該枠体を解体する場合には、解体作業が煩雑であるという問題がある。また、枠体の前面には、プラスチック製の下ユニット７やパネルユニット８が取り付けられ、該枠体の裏面には、遊技盤１１７を取り付けるためにプラスチック製の上フレーム１１８、左フレーム１１９、右フレーム１２０、及びフレームボードユニット１２２が取り付けられているため、使用済みの前面枠を解体する場合には、各プラスチック製の部品を個々に取り外す必要があるため、前面枠の解体作業が、煩雑となって迅速な解体作業が困難であるという問題がある。
【０００４】
そこで、本発明は、上述した問題点を解決するためになされたものであり、前面枠を合成樹脂製や金属製等の複数種類の材質で形成される複数の枠部材から構成すると共に、ヒンジ部材や下皿等を同じ種類の材質で形成される枠部材に取り付けることによって、使用済み遊技機の解体時に部品を材質毎に容易に仕分けることができるため、使用済み遊技機の解体作業の迅速化及び高効率なリサイクル化を図ることができる遊技機を提供することを目的とする。
【０００５】
【課題を解決するための手段】
前記目的を達成するために、請求項１に係る遊技機は、外枠と、前記外枠に遊技者側の前面側にて開閉可能となるように取り付けられると共に、複数の部材が取り付けられる前面枠ユニットとを備えた遊技機において、前記前面枠ユニットは、略中央部に窓部を有する枠体状に構成された前面枠と、前記窓部の前側を被覆するように開閉自在に前記前面枠に取り付けられたガラス扉と、前記前面枠の前面部の下方を覆うように該前面枠に取り付けられた合成樹脂製の下皿ユニットと、前記ガラス扉と前記下皿ユニットとの間を覆うように開閉自在に前記前面枠に取り付けられた合成樹脂製の上皿ユニットと、を備え、前記前面枠は、前記枠体状の上枠部分を構成する合成樹脂製で略板状の上枠部材と、前記枠体状の下枠部分を構成する合成樹脂製で略板状の下枠部材と、前記上枠部材の左端部と前記下枠部材の左端部との裏側に上下端部をビス止めにより取り付けられた金属製で略板状の左縦枠部材と、前記上枠部材の右端部と前記下枠部材の右端部との裏側に上下端部をビス止めにより取り付けられた金属製で略板状の右縦枠部材と、を有し、前記左縦枠部材は、該左縦枠部材の上端部の裏側に取り付けられて前記外枠の左上角部に固着された上ヒンジ軸支持部材に回動可能に係合すると共に、前記ガラス扉の左上角部に設けられたヒンジピンに回動可能に係合する金属製の上ヒンジ軸受部材と、該左縦枠部材の下端部の裏側に取り付けられて前記外枠の前記前面枠の左側下端面に対向するように固着された下ヒンジ軸支持部材に回動可能に係合する金属製の下ヒンジ軸受部材と、前記上皿ユニットの左側端縁部に対向する前面部に取り付けられて前記ガラス扉の左下角部に設けられた凹部に係合して回動可能に支持すると共に、該上皿ユニットの左側上下端部に係合して回動可能に支持する金属製の軸支持部材と、を有し、前記右縦枠部材は、裏面側に取り付けられて前記前面枠と前記ガラス扉とを施錠する金属製の施錠装置を有し、前記下枠部材は、前記下皿ユニットが前面側に取り付けられると共に、該下皿ユニットの上側に合成樹脂製の発射レールユニットが取り付けられ、前記外枠の前記上ヒンジ軸支持部材及び前記下ヒンジ軸支持部材と前記前面枠ユニットの前記上ヒンジ軸受部材及び前記下ヒンジ軸受部材とのそれぞれの係合を解除して該外枠から該前面枠ユニットを取り外した後、該前面枠ユニットの該上ヒンジ軸受部材及び前記軸支持部材と前記ガラス扉の前記ヒンジピン及び前記凹部との係合を解除して該前面枠ユニットから該ガラス扉を取り外すと共に、該前面枠ユニットの該軸支持部材と前記上皿ユニットの左側上下端部との係合を解除して該前面枠ユニットから該上皿ユニットを取り外した後、更に、前記上枠部材及び前記下枠部材の左右端縁部と前記左縦枠部材及び前記右縦枠部材の上下端部とのビス止めを取り外すことによって、金属製の該左縦枠部材は、金属製の前記上ヒンジ軸受部材と前記下ヒンジ軸受部材と前記軸支持部材とが取り付けられた状態で該上枠部材及び下枠部材から取り外されると共に、金属製の該右縦枠部材は、金属製の前記施錠装置が取り付けられた状態で該上枠部材及び下枠部材から取り外され、また、合成樹脂製の該下枠部材は、合成樹脂製の前記下皿ユニットと前記発射レールユニットとが取り付けられた状態で該左縦枠部材及び右縦枠部材から取り外されることを特徴とする。
【０００６】
このような特徴を有する請求項１に係る遊技機においては、枠体状に構成された前面枠にガラス扉と上皿ユニットが開閉自在に取り付けられると共に、該前面枠の下方に下皿ユニットが取り付けられた前面枠ユニットが、外枠の遊技者側の前面側にて開閉可能となるように取り付けられている。また、この前面枠は、合成樹脂製で略板状の上枠部材及び下枠部材と、金属製で略板状の左縦枠部材及び右縦枠部材とから構成され、上枠部材及び下枠部材の左右端縁部の裏側に左縦枠部材と右縦枠部材との各上下端部がビス止めされている。また、金属製の左縦枠部材は、上端部の裏側に金属製の上ヒンジ軸受部材が取り付けられ、下端部の裏側に金属製の下ヒンジ軸受部材が取り付けられ、更に、上皿ユニットの左側端縁部に対向する前面部に金属製の軸支持部材が取り付けられている。また、金属製の右縦枠部材は、裏面側に金属製の施錠装置が取り付けられている。また、合成樹脂製の下枠部材は、合成樹脂製の下皿ユニットと合成樹脂製の発射レールユニットが取り付けられている。
従って、外枠から前面枠ユニットを取り外した後、該前面枠ユニットからガラス扉と上皿ユニットを取り外し、更に、前面枠を構成する略板状の上枠部材及び下枠部材の左右端縁部と略板状の左縦枠部材及び右縦枠部材の上下端部とのビス止めを取り外すことによって、該前面枠を合成樹脂製の上枠部材、合成樹脂製の発射レールユニットと下皿ユニットが取り付けられた合成樹脂製の下枠部材、金属製の上ヒンジ軸受部材と下ヒンジ軸受部材と軸支持部材とが取り付けられた金属製の左縦枠部材と、金属製の施錠装置が取り付けられた金属製の右縦枠部材とに解体できる。
これにより、使用済み遊技機の解体時に、前面枠ユニットをガラス扉、上皿ユニット、上枠部材、下枠部材、左縦枠部材及び右縦枠部材毎に解体して、それぞれを仕分けることによって、同時に前面枠ユニットを金属製の部品と合成樹脂製の部品とに容易に分別することができるため、使用済み遊技機の解体時に部品を材質毎に容易に仕分けることができると共に、使用済み遊技機の解体作業の迅速化及び高効率なリサイクル化を図ることができる。更に、上枠部材、下枠部材、左縦枠部材及び右縦枠部材は、略板状であるため、この上枠部材、下枠部材、左縦枠部材及び右縦枠部材を解体後保管する場合には、狭い場所に多くの各枠部材を保管することができると共に、解体後搬送する場合にも、一度に多くの各枠部材を搬送することができて、使用済み遊技機の解体作業の更なる迅速化及び効率化を図ることができる。
【０００７】
【０００８】
【０００９】
【００１０】
【００１１】
【００１２】
【００１３】
【００１４】
【００１５】
【００１６】
【００１７】
【００１８】
【００１９】
【発明の実施の形態】
以下、本発明に係る遊技機についてパチンコ機につき具体化した一実施の形態を図面を参照して詳細に説明する。先ず、本実施形態に係るパチンコ機の全体の概略構成について図１乃至図３に基づいて説明する。図１は本実施形態に係るパチンコ機の全体を示した正面図である。図２は本実施形態に係るパチンコ機の全体を示した平面図である。図３は本実施形態に係るパチンコ機の全体を示した側面図である。尚、図１乃至図３においては、パチンコ機１は、いわゆるＣＲ機（カードリーディング機）と称され、カード式球貸機とパチンコ機１とによって構成され、これらは対をなして設置されるが、カード式球貸機の図示を省略している。
【００２０】
図１乃至図３に示すように、このパチンコ機１は、所定量のパチンコ球を賞球として払い出す、いわゆる第１種パチンコ機である。パチンコ機１は、木製の外枠２に対して後述の前面枠３（図４、図６参照）が、前面枠取付用ヒンジを構成する上ヒンジ４及び下ヒンジ５を介して外枠２に対して開閉自在に取り付けられている。そして、この前面枠３のほぼ中央部には、後述のように窓部１０が形成され（図４、図６参照）、この窓部１０には、遊技盤（不図示）が前面側から取付けられている。また、この窓部１０の前側を被覆する鋼板やステンレス等の金属製の後述のガラス扉６（図１１参照）が左側端縁部を上ヒンジ４と前面枠３を構成する左縦枠部材７（図４、図６参照）の前面に取付けられる軸支持部材８とによって支えられて開閉自在に取り付けられている。このガラス扉６のほぼ中央部には開口部９が形成されて、ガラス板１１が装着されており、該ガラス板１１を通して遊技領域が見えるようになっている。
【００２１】
また、前面枠３を構成する右縦枠部材１２（図４、図６参照）の裏面に取付けられて、前面枠３及びガラス扉６を施錠する公知の施錠装置１３が設けられている（特開平１０−３０９３６３号公報参照）。そして、ガラス扉６の右側端縁部の上下方向中央部には、この施錠装置１３のシリンダ錠１４が前面側に突き出るための貫通孔１５が形成されている。この施錠装置１３のシリンダ錠１４に所定のキーを挿入して所定方向（本実施形態では、時計方向）に回せば、前面枠３と外枠２とのロック状態が解除されて、前面枠３が前側にオープンされる。また、施錠装置１３のシリンダ錠１４に所定のキーを挿入して反対方向（本実施形態では、反時計方向）に回せば、前面枠３とガラス扉６とのロック状態が解除されて、ガラス扉６のみが前側にオープンされる。
また、前面枠３を閉じた場合には、該前面枠３の上端縁部及び左右両端縁部の裏面部と、外枠２の表面部とが当接している。また、ガラス扉６を閉じた場合には、該ガラス扉６の右側端縁部の裏面部と前面枠３の右縦枠部材１２の右側端縁部の表面部とが当接している。
【００２２】
また、このガラス扉６の下側には、賞球を受けるＡＢＳ等の合成樹脂製の上皿ユニット１７がスピーカ１８を内蔵して左側端部を軸支持部材８で支えられて開閉自在に設けられている。この上皿ユニット１７は、前面枠３の右内側面に設けられた施錠装置（不図示）により施錠されている。この上皿ユニット１７を開くためには、先ず、ガラス扉６をオープンした後、上皿ユニット１７の裏側に設けられているロック解除レバー（不図示）を押し下げることにより、上皿ユニット１７の施錠装置のロック状態が解除されて、上皿ユニット１７がオープンされる。また、この上皿ユニット１７の中央前面部には、カード式球貸機の操作ボタン１７Ｂ、１７Ｃ及びカード残高表示装置１７Ｄが設けられている。
【００２３】
そして、その上皿ユニット１７の下側の前面枠３の前面部には、上皿ユニット１７から溢れた賞球が不図示の下皿排出路及び下部受皿ボックスを介して排出されるＡＢＳ等の合成樹脂製の下皿ユニット１９がビス止め等によって取付けられている。また、上皿ユニット１７に連通する不図示の球送り機構を介して上皿ユニット１７のパチンコ球が操作ハンドル２０に連結された不図示の発射装置へ送られるよう構成されている。
【００２４】
次に、前面枠３に下皿ユニット１９等が取付けられた前面枠ユニット２２の概略構成について図４及び図５に基づいて説明する。図４は本実施形態に係るパチンコ機１の前面枠ユニット２２の概略構成を示した正面図である。図５は本実施形態に係るパチンコ機１の前面枠ユニット２２の概略構成を示した側面図である。
ここで、前面枠ユニット２２は、上ヒンジ４及び下ヒンジ５によって、外枠２に開閉可能に取付けられている（図１参照）。また、この上ヒンジ４を構成する上ヒンジ軸支持部材４Ａ（図１参照）は、外枠２の左上角部にネジ止め等により固定されている。この上ヒンジ軸支持部材４Ａは、略Ｌ字形に折り曲げられる金属製の部材であって、上面板が外枠２の前面よりも延出され、その前縁部の下面側には、回動支軸がカシメ等によりほぼ垂直に設けられている。
また、この下ヒンジ５を構成する下ヒンジ軸支持部材５Ａ（図１参照）は、前面枠３の左側下端面と外枠２の内側面の左下側角部上面との間に形成される溝部に嵌挿されて裏側から外枠２にネジ止め等によって固定されている。この下ヒンジ軸支持部材５Ａは、略Ｌ字形に折り曲げられる金属製の部材であって、下面板が外枠２の前面まで延出され、その前縁部の下面側には、回動支軸がカシメ等によりほぼ垂直に設けられている。
【００２５】
図４及び図５に示すように、前面枠ユニット２２は、前面枠３と、この前面枠３の左上角部の裏面にネジ止めにより取り付けられる上ヒンジ軸受部材４Ｂと、この前面枠３左下角部の裏面にネジ止め等によって取り付けられる下ヒンジ軸受部材５Ｂと、該前面枠３の遊技者側の前面部下方を覆うように取り付けられている下皿ユニット１９と、該前面枠３の右縦枠部材１２に取り付けられる施錠装置１３等から構成されている。また、下皿ユニット１９の上側の前面枠３の前面部には、発射レール２４等がビス止め等により取り付けられたＡＢＳ等の合成樹脂製の略平板状の発射レールユニット２５が配置されている。
また、下皿ユニット１９の左上角部の上側には、前面枠３の左縦枠部材７の前面部に、ガラス扉６や上皿ユニット１７を軸支する鋼やステンレス等の金属製の軸支持部材８が皿ビス２３、２３、２３によって取り付けられている。この軸支持部材８の上下両端縁部の左角部には、所定幅で前側に延出される延出部８Ａ、８Ｂが形成され、上側の延出部８Ａの前端縁部には上下に各々所定高さ突設される支持軸８Ｃが設けられている。また、下側の延出部８Ｂの前端縁部には、上皿ユニット１７を取り付けるための貫通孔８Ｄが穿設されている。
【００２６】
また、前面枠３の左縦枠部材７の左上角部の裏側面に取り付けられる上ヒンジ軸受部材４Ｂは、略Ｌ字形に折り曲げられる金属製の部材であって、上面板が前面枠３の前面よりも延出され、その延出部の基端側に上ヒンジ軸支持部材４Ａの回動軸が挿通される軸孔４Ｃと、その軸孔４Ｃの前方側に後述のガラス扉６のヒンジピン９７（図１１参照）が挿通される軸孔４Ｄが穿設されている。
また、前面枠３の左縦枠部材７の下端部の裏側面に取り付けられる下ヒンジ軸受部材５Ｂは、略Ｌ字形に折り曲げられる金属製の部材であって、下面板が前面枠３の前面まで延出され、その前縁部に下ヒンジ軸支持部材５Ａの回動軸が挿通される軸孔５Ｃが穿設されている。
【００２７】
また、鋼やステンレス等の金属製の施錠装置１３は、前面枠３の右縦枠部材１２の前面部に当接される固定板２６と、該右縦枠部材１２の裏面部に当接される前面枠操作杆２７等とによって構成されて、固定板２６と前面枠操作杆２７との間に右縦枠部材１２を挟持して固定されている。また、前面操作杆２７の裏側の上下端部には、外枠２の内側に設けられる係合部材に係合する各前面枠錠爪１３Ａ、１３Ａが回動可能に設けられている。また、前面操作杆２７の表側の固定板２６の上下端縁部に対向する位置には、ガラス扉６の右側端縁部の裏側面に設けられる不図示の係合部材に係合する各ガラス扉錠爪１３Ｂ、１３Ｂが回動可能に設けられ、右縦枠部材１２に穿設される略長四角形の貫通孔１２Ａ、１２Ｂに裏側から挿通されている。
そして、シリンダ錠１４に所定のキーを挿入して所定方向（本実施形態では、時計方向）に回せば、各前面枠錠爪１３Ａ、１３Ａが矢印２８方向に回動して前面枠３の開錠作動をするようになっている。また、シリンダ錠１４に所定のキーを挿入して反対方向（本実施形態では、反時計方向）に回せば、各ガラス扉錠爪１３Ｂ、１３Ｂが矢印２９方向に回動してガラス扉６の開錠作動をするようになっている。
【００２８】
次に、前面枠３の概略構成について図６乃至図１０に基づいて説明する。図６は本実施形態に係るパチンコ機１の前面枠３の概略構成を示す正面図である。図７は本実施形態に係るパチンコ機１の前面枠３を構成する上枠部材の概略形状を示す図で、（Ａ）は正面図、（Ｂ）は下側面図である。図８は本実施形態に係るパチンコ機１の前面枠３を構成する下枠部材の概略形状を示す図で、（Ａ）は正面図、（Ｂ）は右側面図である。図９は本実施形態に係るパチンコ機１の前面枠３を構成する右縦枠部材１２の概略形状を示す図で、（Ａ）は平面図、（Ｂ）は正面図である。図１０は本実施形態に係るパチンコ機１の前面枠３を構成する左縦枠部材７の概略形状を示す図で、（Ａ）は平面図、（Ｂ）は正面図である。
【００２９】
図６に示すように、不図示の遊技盤が取り付けられる略四角形の窓部１０が略中央部に形成される前面枠３は、この窓部１０の上端縁部に配置される上枠部材３１と、該窓部１０の下端縁部に配置される下枠部材３２と、この上枠部材３１の左端部と下枠部材３２の左端部との裏側にビス止め等により取り付けられる左縦枠部材７と、この上枠部材３１の右端部と下枠部材３２の右端部との裏側にビス止め等により取り付けられる右縦枠部材１２とから構成されている。
【００３０】
また、図７に示すように、上枠部材３１は、ＡＢＳ等の合成樹脂製の部材であって、左右方向に長い略長四角形の平板部３３と、この平板部３３の周囲（４辺）から前側に所定高さ寸法、垂直に延出された側壁部３４とから形成されている。また、この上枠部材３１の左端部には上ヒンジ軸受部材４Ｂの下面が当接される段差部３５が形成されている。また、上ヒンジ４の上ヒンジ軸支持部材４Ａの下面との当接を防止するために、この段差部３５の右端部から左右方向に所定幅寸法の逃げ部３６が形成されている。
また、平板部３３の左側端縁部には、左縦枠部材７を裏側に取り付けるための各ネジ孔３７、３７が形成されている。また、平板部３３の右側端縁部には、右縦枠部材１２を裏側に取り付けるための各ネジ孔３８、３８が形成されている。
【００３１】
また、図８に示すように、下枠部材３２は、ＡＢＳ等の合成樹脂製の部材であって、左右方向に長い略長四角形の第１平板部４１と、この第１平板部４１の周囲（４辺）から前側に所定高さ寸法、垂直に延出された側壁部４２と、この平板部４１の裏側面の上端縁部から所定寸法（本実施形態では、不図示の遊技盤の厚さ寸法にほぼ等しい寸法である。）裏側方向にほぼ垂直に延出される側部４３と、この側部４３の後端縁部から更に上側方向にほぼ垂直に延出された左右方向に長い略長四角形の第２平板部４４と、この第２平板部４４の周囲（３辺）から前側に所定高さ寸法、垂直に延出された側壁部４５とから構成されている。
また、平板部４１の裏面から側壁部４２の前端までの高さ寸法は、上枠部材３１の平板部３３の裏面から側壁部３４の高さ寸法にほぼ等しく形成されている。また、第１平板部４１の左側端縁部から第２平板部４４の左側端縁部までの寸法は、左縦枠部材７の平板部７１（図１０参照）の左右方向の幅寸法にほぼ等しく形成されている。また、第１平板部４１の右側端縁部から第２平板部４４の右側端縁部までの寸法は、右縦枠部材１２の平板部５８（図９参照）の左右方向の幅寸法にほぼ等しく形成されている。
【００３２】
また、第１平板部４１のほぼ中央部には、裏側面に取り付けられる下部受皿ボックスからパチンコ球が前面側に排出される横長四角形の排出口４７が形成されている。また、この排出口４７の左右両側には、下皿ユニット１９を取り付けるための各下皿ユニット取付ポスト４８、４８が前面側に垂設されている。また、排出口４７の右側には、前面枠３の裏側に配置される不図示のパチンコ球発射装置と操作ハンドル２０を接続するための逃げ孔４９が形成されている。また、第１平板部４１の左端縁部には、略円形の貫通孔５０が穿設されている。また、この貫通孔の下側には、下皿ユニット１９を取り付けるための各下皿ユニット取付ポスト５１、５１が前面側に垂設されている。また、第１平板部４１の左側端縁部には、左縦枠部材７を裏側に取り付けるための各ネジ孔５２、５２が形成されている。また、第１平板部４１の右側端縁部には、右縦枠部材１２を裏側に取り付けるための各ネジ孔５３、５３が形成されている。
また、第２平板部４４の左側端縁部及び右側端縁部には発射レール２４等が前面に取り付けられた略平板状の発射レールユニット２５を取り付けるための取付ポスト５４、５４、５４、５４が前面側に垂設されている。
【００３３】
また、図９に示すように、右縦枠部材１２は、鋼やステンレス等の金属製の部材であって、縦方向に長い略長四角形の平板部５８と、この平板部５８の右側端縁部から前側方向に垂直に折曲された側部５９と、該平板部５８の窓部１０の右側端縁部に対応する左側端縁部から裏側方向に垂直に折曲された側部６０と、この側部６０から更に左側方向に垂直に折り曲げされた垂直部６１と、この垂直部６１の上下両端縁部から左側方向に延出される各遊技盤受部６２、６２とから構成されている。尚、平板部５８の前面から側部５９の前端までの高さ寸法は、上枠部材３１の平板部３３の裏面から側壁部３４の高さ寸法にほぼ等しく形成されている。また、平板部５８の前面から垂直部６１の前面までの高さ寸法は、遊技盤の厚さ寸法にほぼ等しく形成されている。
【００３４】
また、各遊技盤受部６２、６２のほぼ中央部には、不図示の遊技盤の裏側面に形成される位置決め孔に嵌入される各位置決め軸６３、６３が垂設されている。
また、平板部５８の上下方向の略中央部には、施錠装置１３のシリンダ錠１４が裏側から嵌挿される貫通孔６４が穿設されている。また、該貫通孔６４の上下には、施錠装置１３の各ガラス扉錠爪１３Ｂ、１３Ｂが裏側から挿通される縦長四角形の各貫通孔１２Ａ、１２Ｂが穿設されている。また、平板部５８の上端縁部には、この右縦枠部材１２を上枠部材３１の各ネジ孔３８、３８にネジ止めするための各貫通孔６６、６６が穿設されている。また、平板部５８の下端縁部には、この右縦枠部材１２を下枠部材３１の各ネジ孔５３、５３にネジ止めするための各貫通孔６７、６７が穿設されている。
【００３５】
また、図１０に示すように、左縦枠部材７は、鋼やステンレス等の金属製の部材であって、縦方向に長い略長四角形の平板部７１と、この平板部７１の左側端縁部から前側方向に垂直に折曲された側部７２と、該平板部７１の窓部１０の左側端縁部に対応する右側端縁部から裏側方向に垂直に折曲された側部７３と、この側部７３から更に右側方向に垂直に折り曲げされた垂直部７４と、この垂直部７４の上下両端縁部から右側方向に延出される各遊技盤受部７５、７５とから構成されている。尚、平板部７１の前面から側部７２の前端までの高さ寸法は、上枠部材３１の平板部３３の裏面から側壁部３４の高さ寸法にほぼ等しく形成されている。また、平板部７１の前面から垂直部７４の前面までの高さ寸法は、遊技盤の厚さ寸法にほぼ等しく形成されている。
【００３６】
また、各遊技盤受部７５、７５のほぼ中央部には、不図示の遊技盤の裏側面に形成される位置決め孔に嵌入される各位置決め軸７６、７６が垂設されている。
また、平板部７１の上端縁部には、この左縦枠部材７を上枠部材３１の各ネジ孔３７、３７にネジ止めするための各貫通孔７７、７７が穿設されている。また、この各貫通孔７７、７７と側部７２との間には、上ヒンジ軸受部材４Ｂを平板部７１の左上角部の裏側面に取り付けるための各ネジ孔８０Ａ、８０Ａが形成されている。また、平板部７１の下端縁部には、この左縦枠部材７を下枠部材３１の各ネジ孔５２、５２にネジ止めするための各貫通孔７８、７８が穿設されている。また、この下側の貫通孔７８の下側には、下ヒンジ軸受部材５Ｂを平板部７１の下端部の裏側面に取り付けるための各ネジ孔８０Ｂ、８０Ｂが形成されている。
また、この平板部７１の上側の貫通孔７８の上側には、軸支持部材８を取り付ける各皿ビス２３、２３、２３に対向する位置に各ネジ孔７９、７９、７９が形成されている。また、平板部７１の左上角部には、上枠部材３１の左上角部に形成される段差部３５に対応する切欠部が形成されている。
【００３７】
次に、前面枠３の組み立てについて図６に基づいて説明する。図６に示すように、先ず、上枠部材３１の左端縁部の裏側面に左縦枠部材７の平板部７１の上端部前面を当接させると共に、側部７２の内側面を上枠部材３１の左方向外側端面部に当接させて、各ビス８１、８１を平板部７１の各貫通孔７７、７７に裏側から挿通して上枠部材３１の各ネジ孔３７、３７にビス止めする。そして、該上枠部材３１の右端縁部の裏側面に右縦枠部材１２の平板部５８の上端部前面を当接させると共に、側部５９の内側面を上枠部材３１の右方向外側端面部に当接させて、各ビス８２、８２を平板部５８の各貫通孔６６、６６の裏側から挿通して上枠部材３１の各ネジ孔３８、３８にビス止めする。
続いて、該左縦枠部材７の平板部７１と右縦枠部材１２の平板部５８の前面側下端部に下枠部材３２の平板部４１の裏面を当接させると共に、各左縦枠部材７の側部７２と右縦枠部材１２の側部５９を該下枠部材３２の左右外側端面部に当接させる。その後、各ビス８３、８３を平板部７１の各貫通孔７８、７８に裏側から挿通して下枠部材３２の各ネジ孔５２、５２にビス止めすると共に、各ビス８４、８４を平板部５８の各貫通孔６７、６７の裏側から挿通して下枠部材３２の各ネジ孔５３、５３にビス止めする。これにより、窓部１０を有する前面枠３が構成される。
【００３８】
次に、ガラス扉６の概略構成について図１１及び図１２に基づいて説明する。図１１は本実施形態に係るパチンコ機１のガラス扉６の概略構成を示す図で、（Ａ）は正面図、（Ｂ）は右側面図である。図１２は図１１に示すガラス扉６のＹＹ断面図である。
図１１及び図１２に示すように、ガラス扉６は、不図示の遊技盤により構成される遊技領域を透視できるガラス板１１を保持するステンレス板や鋼板等により形成される金属製のカバー部材９１から構成されている。また、このカバー部材９１の略中央部に形成される略四角形の開口部９の周縁部は、前面側に所定高さ突出される突出縁部９２が形成されると共に、この突出縁部９２の内側端縁部からはカバー部材９１の裏面に略平行なガラス装着部９３が所定長さ延出されている。そして、このガラス装着部９３の裏面側には、ガラス板１１が裏側から接着等により取り付けられている。また、カバー部材９１の右側端縁部のシリンダ錠１４に対向する位置には、該シリンダ錠１４が裏側から挿通される貫通孔１５が形成されている。また、カバー部材９１の右側端縁部の裏面側には、施錠装置１３の各ガラス扉錠爪１３Ｂ、１３Ｂと係合する不図示の係合部が形成されている。
【００３９】
また、カバー部材９１の左側上端部にはヒンジ４との干渉回避用の切欠き部９４が形成されている。また、カバー部材９１の左側上端部の裏側面には、鋼やステンレス等の金属製のヒンジ上金具９６がビス止め等により取り付けられている。このヒンジ上金具９６は、断面が略コの字形に形成され、曲げ部の両端縁部（図１１中、上下の端縁部）には貫通孔が形成されている。そして、ヒンジ上金具９６には、上記上ヒンジ軸受部材４Ｂと係合する鋼やステンレス等の金属製の略Ｌ字形のヒンジピン９７がスプリング９８により上下動可能に設けられている。
【００４０】
また、カバー部材９１の左側下端部には、軸支持部材８の上端部との干渉回避用の切欠き部９９が形成されている。また、この切欠部９９の下端面には軸支持部材８の上端部に垂設されている支持軸８Ｃに回動可能に係合する断面略円形で所定深さの凹部１００が形成されている。
これにより、ガラス扉６の前面枠３への取り付けは、ガラス扉６の左側上端部に取り付けられるヒンジピン９７を下側に引き下げつつ、該ガラス扉６の左側下端部に形成される凹部１００を軸支持部材８の上端部に垂設される支持軸８Ｃに填め込んだ後に、ヒンジピン９７を上ヒンジ軸受部材４Ｂの上面に形成される軸孔４Ｄに嵌挿させることによって回動可能に取り付けることができる。そして、該ガラス扉６を前面枠３の右縦枠部材１２の側部５９に当接させることにより、該ガラス扉６は施錠装置１３の各ガラス扉錠爪１３Ｂ、１３Ｂと係合して施錠され、前面枠３の窓部１０は該ガラス扉６によって閉塞される。
【００４１】
次に、パチンコ機１の解体手順について図１乃至図５に基づいて説明する。
図１乃至図３に示すように、先ず、上ヒンジ４及び下ヒンジ５を介して木製の外枠２に取り付けられている前面枠ユニット２２、ガラス扉６、上皿ユニット１７等を該外枠２から取り外す。そして、前面枠ユニット２２に上ヒンジ軸受部材４Ｂ及び軸支持部材８を介して取り付けられている金属製のガラス扉６を該前面枠ユニット２２から取り外す。続いて、前面枠ユニット２２に軸支持部材８を介して取り付けられている合成樹脂製の上皿ユニット１７を該前面枠ユニット２２から取り外す。
そして、図４及び図５に示すように、各ビス８１、８１、８３、８３を裏側から取り外して、金属製の左縦枠部材７を合成樹脂製の上枠部材３１及び下枠部材３２から分離する。続いて、各ビス８２、８２、８４、８４を裏側から取り外して、金属製の右縦枠部材１２を合成樹脂製の上枠部材３１及び下枠部材３２から分離して、前面枠ユニット２２を解体する。
これにより、金属製の上ヒンジ軸受部材４Ｂ、軸支持部材８、及び下ヒンジ軸受部材５Ｂは、この金属製の左縦枠部材７に取り付けられた状態で、前面枠ユニット２２から分離される。また、金属製の施錠装置１３は金属製の右縦枠部材１２に取り付けられた状態で分離される。また、合成樹脂製の発射レールユニット２５及び下皿ユニット１９は、合成樹脂製の下枠部材３２に取り付けられた状態で分離される。
【００４２】
以上詳細に説明した通り本実施形態に係るパチンコ機１では、前面枠３は、この前面枠３の左上角部に裏側からネジ止め等によって取り付けられる上ヒンジ軸受部材４Ｂと、この前面枠３の左下角部に裏側からネジ止め等によって取り付けられる下ヒンジ軸受部材５Ｂとを、外枠２の左上角部に取り付けられる上ヒンジ軸支持部材４Ａと該外枠２の開口部の左下角部の内側に取り付けられる下ヒンジ軸支持部材５Ａに係合することによって、外枠２の前側に開閉可能に取り付けられる。そして、前面枠３の下枠部材３２の前側には、上皿ユニット１７が軸支持部材８を介して開閉可能に取り付けられると共に、この上皿ユニット１７の下側に下皿ユニット１９がビス止め等によって固設される。また、前面枠３の窓部１０の前側には、金属製のカバー部材９１等によって構成されるガラス扉６が上ヒンジ軸受部材４Ｂと軸支持部材８とを介して前側に開閉可能に取り付けられている。また、前面枠３は、略中央部に形成される窓部１０の上端縁部に配置される合成樹脂製の上枠部材３１と、該窓部１０の下端縁部に配置される合成樹脂製の下枠部材３２と、この上枠部材３１の左端部と下枠部材３２の左端部との裏側にビス止め等により取り付けられる金属製の左縦枠部材７と、この上枠部材３１の右端部と下枠部材３２の右端部との裏側にビス止め等により取り付けられる金属製の右縦枠部材１２とから構成されている。
【００４３】
したがって、使用済みのパチンコ機１の解体時に、木製の外枠２から前面ユニット２２等を取り外した後、この前面枠ユニット２２の前面部からガラス扉６及び上皿ユニット１７を取り除いて、各ビス８１、８１、８２、８２、８３、８３、８４、８４を裏側から取り外すことによって、該前面枠ユニット２２を上枠部材３１、下枠部材３２、左縦枠部材７、及び右縦枠部材１２に解体できるため、パチンコ機１の解体作業を迅速に行うことができる。
また、この前面枠ユニット２２を各枠部材７、１２、３１、３２に解体した場合には、金属製の上ヒンジ軸受部材４Ｂ、軸支持部材８、及び下ヒンジ軸受部材５Ｂは、この金属製の左縦枠部材７に取り付けられた状態で、前面枠ユニット２２から分離される。また、金属製の施錠装置１３は金属製の右縦枠部材１２に取り付けられた状態で分離される。また、合成樹脂製の発射レールユニット２５及び下皿ユニット１９は、合成樹脂製の下枠部材３２に取り付けられた状態で分離される。これにより、各ビス８１、８１、８２、８２、８３、８３、８４、８４を裏側から取り外すことによって、前面枠ユニット２２を金属製の部品と合成樹脂製の部品とに容易に分別することできるため、パチンコ機１の解体作業のより迅速化を図ることができると共に、高効率なリサイクル化を図ることができる。
更に、上枠部材３１、下枠部材３２、左縦枠部材７、及び右縦枠部材１２は、略板状であるため、この上枠部材３１、下枠部材３２、左縦枠部材７、及び右縦枠部材１２を解体後保管する場合には、狭い場所に多くの各枠部材７、１２、３１、３２を保管することができると共に、解体後搬送する場合にも、一度に多くの各枠部材７、１２、３１、３２を搬送することができて、使用済みパチンコ機１の解体作業の更なる迅速化及び効率化を図ることができる。
【００４４】
尚、本発明は前記実施形態に限定されるものではなく、本発明の要旨を逸脱しない範囲内で種々の改良、変形が可能であることは勿論である。
【００４５】
【発明の効果】
以上説明した通り、請求項１に係る遊技機によれば、枠体状に構成された前面枠にガラス扉と上皿ユニットが開閉自在に取り付けられると共に、該前面枠の下方に下皿ユニットが取り付けられた前面枠ユニットが、外枠の遊技者側の前面側にて開閉可能となるように取り付けられている。また、この前面枠は、合成樹脂製で略板状の上枠部材及び下枠部材と、金属製で略板状の左縦枠部材及び右縦枠部材とから構成され、上枠部材及び下枠部材の左右端縁部の裏側に左縦枠部材と右縦枠部材との各上下端部がビス止めされている。また、金属製の左縦枠部材は、上端部の裏側に金属製の上ヒンジ軸受部材が取り付けられ、下端部の裏側に金属製の下ヒンジ軸受部材が取り付けられ、更に、上皿ユニットの左側端縁部に対向する前面部に金属製の軸支持部材が取り付けられている。また、金属製の右縦枠部材は、裏面側に金属製の施錠装置が取り付けられている。また、合成樹脂製の下枠部材は、合成樹脂製の下皿ユニットと合成樹脂製の発射レールユニットが取り付けられている。
従って、外枠から前面枠ユニットを取り外した後、該前面枠ユニットからガラス扉と上皿ユニットを取り外し、更に、前面枠を構成する上枠部材及び下枠部材の左右端縁部と左縦枠部材及び右縦枠部材の上下端部とのビス止めを取り外すことによって、該前面枠を合成樹脂製の上枠部材、合成樹脂製の発射レールユニットと下皿ユニットが取り付けられた合成樹脂製の下枠部材、金属製の上ヒンジ軸受部材と下ヒンジ軸受部材と軸支持部材とが取り付けられた金属製の左縦枠部材と、金属製の施錠装置が取り付けられた金属製の右縦枠部材とに解体できる。
これにより、使用済み遊技機の解体時に、前面枠ユニットをガラス扉、上皿ユニット、上枠部材、下枠部材、左縦枠部材及び右縦枠部材毎に解体して、それぞれを仕分けることによって、同時に前面枠ユニットを金属製の部品と合成樹脂製の部品とに容易に分別することができるため、使用済み遊技機の解体時に部品を材質毎に容易に仕分けることができると共に、使用済み遊技機の解体作業の迅速化及び高効率なリサイクル化を図ることができる遊技機を提供することができる。更に、上枠部材、下枠部材、左縦枠部材及び右縦枠部材は、略板状であるため、この上枠部材、下枠部材、左縦枠部材及び右縦枠部材を解体後保管する場合には、狭い場所に多くの各枠部材を保管することができると共に、解体後搬送する場合にも、一度に多くの各枠部材を搬送することができて、使用済み遊技機の解体作業の更なる迅速化及び効率化を図ることができる遊技機を提供することができる。
【００４６】
【００４７】
【００４８】
【００４９】
【００５０】
【００５１】
【図面の簡単な説明】
【図１】  本実施形態に係るパチンコ機の全体を示した正面図である。
【図２】  本実施形態に係るパチンコ機の全体を示した平面図である。
【図３】  本実施形態に係るパチンコ機の全体を示した側面図である。
【図４】  本実施形態に係るパチンコ機の前面枠ユニットの概略構成を示した正面図である。
【図５】  本実施形態に係るパチンコ機の前面枠ユニットの概略構成を示した側面図である。
【図６】  本実施形態に係るパチンコ機の前面枠の概略構成を示す正面図である。
【図７】  本実施形態に係るパチンコ機の前面枠を構成する上枠部材の概略形状を示す図で、（Ａ）は正面図、（Ｂ）は下側面図である。
【図８】  本実施形態に係るパチンコ機の前面枠を構成する下枠部材の概略形状を示す図で、（Ａ）は正面図、（Ｂ）は右側面図である。
【図９】  本実施形態に係るパチンコ機の前面枠を構成する右縦枠部材の概略形状を示す図で、（Ａ）は平面図、（Ｂ）は正面図である。
【図１０】  本実施形態に係るパチンコ機の前面枠を構成する左縦枠部材の概略形状を示す図で、（Ａ）は平面図、（Ｂ）は正面図である。
【図１１】  本実施形態に係るパチンコ機のガラス扉の概略構成を示す図で、（Ａ）は正面図、（Ｂ）は右側面図である。
【図１２】  図１１に示すガラス扉のＹＹ断面図である。
【符号の説明】
１                パチンコ機
２                外枠
３                前面枠
４                上ヒンジ
５                下ヒンジ
６                ガラス扉
７                左縦枠部材
８                軸支持部材
９                開口部
１０              窓部
１１              ガラス板
１２              右縦枠部材
１３              施錠装置
１７              上皿ユニット
１９              下皿ユニット
３１              上枠部材
３２              下枠部材
９１              カバー部材
【図１】
0004418911.tif 000002
【図２】
0004418911.tif 000003
【図３】
0004418911.tif 000004
【図４】
0004418911.tif 000005
【図５】
0004418911.tif 000006
【図６】
0004418911.tif 000007
【図７】
0004418911.tif 000008
【図８】
0004418911.tif 000009
【図９】
0004418911.tif 000010
【図１０】
0004418911.tif 000011
【図１１】
0004418911.tif 000012
【図１２】
0004418911.tif 000013